(57)【特許請求の範囲】
【請求項１】
上面に配設されて斜め上方に向かうとともに先端部が路面とほぼ同位置となる光導出溝および光導出溝に連通する内部空間を備えた灯体と；
灯体の光導出溝および内部空間の間に液密に配設され入射光を下向きに屈折する光路規制用のプリズムと；
一体化された電球ならびにリフレクタを備え、電球はバルブおよびバルブの内部に封装されたフィラメントを有し、リフレクタは内部に電球を配設し、電球から放射された光の反射光が中心軸と交叉しないように構成したの上半部反射面、および電球から放射された光の反射光が中心軸と交叉するように反射面の軸を中心軸に交差させた下半部反射面を有し、リフレクタを横から見た場合に上半部反射面の開口端が下半部反射面の開口端より頂部側へ後退していて、プリズムに対向し、かつ上半部反射面を上側にして灯体の内部空間に、殆どが路面より下側に位置するように配設された標識灯用ランプと；
を具備していることを特徴とする埋込型標識灯。
【請求項２】
標識灯用ランプは、そのリフレクタが、上半部反射面および下半部反射面がそれぞれ自由曲面を備えた複数のファセットにより構成されていることを特徴とする請求項１記載の埋込型標識灯。
【請求項３】
標識灯用ランプは、そのリフレクタが、上半部反射面および下半部反射面の少なくとも開口端側の上下の部分が中心軸とほぼ平行にカットされていることを特徴とする請求項１または２記載の埋込型標識灯。
【請求項４】
標識灯用ランプは、そのリフレクタが、隣接する互いに異なる曲面部分の間において頂部側から開口端側へ延在する接合部を備えており、電球が、フィラメントの両端から延在した一対のレグ部を備えるとともに、レグ部がリフレクタの接合部に対向して位置するようにリフレクタに配設されていることを特徴とする請求項１ないし３のいずれか一記載の埋込型標識灯。
【請求項５】
請求項1ないし4のいずれか一記載の埋込型標識灯と；
埋込型標識灯の周辺部を支持する段部および埋込型標識灯を収納する凹部を備え、路面に埋設される基台と；埋込型標識灯を基台に着脱自在に固定する固定手段と；
を具備していることを特徴とする埋込型標識灯装置。
【発明の詳細な説明】
【０００１】
【発明の属する技術分野】
本発明は、空港用として好適な埋込型標識灯および埋込型標識灯装置に関する。
【０００２】
【従来の技術】
本発明者らは、小形化した標識灯用ランプ、このランプを用いて小形化した埋込型標識灯および埋込型標識灯装置を発明し、これを特願平８−２６２７０９号として特許出願している。
【０００３】
図１５は、先行発明の埋込型標識灯装置の光軸部分における断面図である。
【０００４】
図１６は、同じく標識灯用ランプの断面図である。
【０００５】
図において、１０１は灯体、１０２はプリズム、１０３は標識灯用ランプ、１０４は基台である。
【０００６】
灯体１０１は、上面に配設された光導出溝１０１ａおよび光導出溝１０１ａに連通する内部空間１０１ｂを備えてなる。さらに、灯体１０１は、上部灯体１０１ｃおよびこれに覆合された下部灯体１０１ｄから構成されている。
【０００７】
プリズム１０２は、灯体１０１の光導出溝１０１ａおよび内部空間１０１ｂの間に液密に配設されて、光路を路面に対して低い角度となるように規制する。
【０００８】
標識灯用ランプ１０３は、図１６に示すように、予めリフレクタ１０３ａの内部に電球１０３ｂをそのフィラメント１０３ｂ１の中心が単一の回転放物面からなる反射面１０３ａ１のほぼ焦点に位置するように口金セメント１０３ｃによって固定して一体化したものである。なお、リフレクタ１０３ａは、その頂部に筒部１０３ａ２を一体に形成しており、この筒部１０３ａ２内に電球１０３ｂの封止部１０３ｂ１を挿入して、それらの間の間隙に口金セメント１０３ｃを流し込んで固着している。
【０００９】
さらに、標識灯用ランプ１０３は、そのリフレクタ１０３ａの開口端側の上部にカット部１０３ａ３が形成された形状に成形されている。そして、図１２に示すように、埋込型標識灯の灯体１０１内において、リフレクタ１０３ａがプリズム１０２より上方へ突出しないように配設されることにより、リフレクタ１０３ａの反射光をなるべく多くプリズム１０２に入射させるように構成されている。
【００１０】
なお、図１５においてＧは標識灯が埋設されている路面を示す。
【００１１】
そうして、埋込型標識灯は、その灯体１０１の上面を露出させて路面Ｇに埋設され、使用される。また、標識灯用ランプ１０３は、そのリフレクタ１０３ａと電球１０３ｂとを予め所定の位置関係に保持して固定してなるので、埋込型標識灯の光学的調整が容易であるとともに、リフレクタ１０３ａの上部にカット部１０３ａ３を形成しているので、埋込型標識灯内における高さ寸法を著しく小さくすることに成功した。
【００１２】
このため、埋込型標識灯の埋込深さを相当に小さくすることができた。
【００１３】
【発明が解決しようとする課題】
しかしながら、埋込型標識灯のさらなる薄形化の要求があり、これに応える標識灯用ランプ、埋込型標識灯および埋込型標識灯装置の出現が望まれている。
【００１４】
さらに、空港用の埋込型標識灯においては、小さな仰角範囲で、かつ左右に大きな水平角範囲において所定の光度を保持した配光特性を満足しなければならないし、しかもこの所定の配光特性を最少消費電力の標識灯用ランプを使用して満足することは、決して容易なことではない。
【００１５】
本発明は、電球とリフレクタが一体化した標識灯用ランプのリフレクタを改良して灯体の一層の薄形化を図ることができるとともに、所要の配光特性を得やすい埋込型標識灯および埋込型標識灯装置を提供することを目的とする。
【００１６】
【課題を達成するための手段】
本発明の埋込型標識灯は、上面に配設されて斜め上方に向かうとともに先端部が路面とほぼ同位置となる光導出溝および光導出溝に連通する内部空間を備えた灯体と；灯体の光導出溝および内部空間の間に液密に配設され入射光を下向きに屈折する光路規制用のプリズムと；一体化された電球ならびにリフレクタを備え、電球はバルブおよびバルブの内部に封装されたフィラメントを有し、リフレクタは内部に電球を配設し、電球から放射された光の反射光が中心軸と交叉しないように構成した上半部反射面、および電球から放射された光の反射光が中心軸と交叉するように反射面の軸を中心軸に交差させた下半部反射面を有し、リフレクタを横から見た場合に上半部反射面の開口端が下半部反射面の開口端より頂部側へ後退していて、プリズムに対向し、かつ上半部反射面を上側にして灯体の内部空間に、殆どが路面より下側に位置するように配設された標識灯用ランプと；を具備していることを特徴としている。
【００１７】
本発明および以下の各発明において用語の定義および技術的意味は次による。
【００１８】
本発明の埋込型標識灯は、空港用に最適であるが、これに限らないで、道路用など用途は限定されない。空港用としては滑走路中心線灯、誘導路灯、停止線灯など、道路用としては交叉点標識用など所望の用途に適応することができる。
【００１９】
この種の踏込型標識灯は光を路面に対して小さな仰角で照射する必要があり、また灯体内部においてはランプの光軸を路面に対して小角度で設定することが困難である。そこで、中間にプリズムを介在させてランプから放射された光路を路面方向へ屈折させる。光路規制とは、光路を例えば上述のように所定の方向に規制することを意味する。
【００２０】
標識灯用ランプは、一体化された電球ならびにリフレクタを備えている。電球は、小形高光出力の点からハロゲン電球が好ましいが、クリプトンやキセノンガスを封入した電球においても比較的小形高光出力のものが得られるので、またそれほど小形高光出力を要求されない場合も含めて、その他の電球の使用を許容する。ハロゲン電球にはバルブの表面に赤外線反射膜を形成したものがあるが、発光効率が高いので、この構成は本発明に好適である。
【００２１】
リフレクタは、基体の内面に高反射率の反射膜を被着したものが好適であるが、基体自体が反射率の高い物質たとえば高純度アルミニウムなどからなる場合は別に反射膜を被着させる必要はない。また、基体としてはガラスや金属が適している。
【００２２】
「中心軸」とは、リフレクタの光学的作用とは無関係に定まるリフレクタの幾何学的中心線をいう。
【００２３】
リフレクタの上半部反射面を、電球から放射されて当該反射面に入射して反射した反射光が中心軸と交叉しないように構成するには、単一の回転２次曲面によって上半部反射面を構成する場合においては、回転２次曲面の軸を中心軸と平行にするか、リフレクタの開口端に向かって中心軸に対してある角度を持たせるようにすればよい。また、自由曲面を備えた複数のファセットによって上半部反射面を構成する場合には、それぞれのファセットによる反射光が中心軸と交叉しないように各ファセットを設定するものとする。
【００２４】
これに対して、リフレクタの下半部反射面を、電球から放射されて当該反射面に入射して反射した反射光が中心軸と交叉するように構成するには、単一の回転２次曲面によって上半部反射面を構成する場合においては、回転２次曲面、したがって下半部反射面の軸を中心軸と交叉するように設定すればよい。また、自由曲面を備えた複数のファセットによって上半部反射面を構成する場合には、それぞれのファセットによる反射光が中心軸と交叉するように各ファセットの反射面の軸を中心軸と交差するように設定するものとする。
【００２５】
上半部反射面と下半部反射面とは、上記のように構成が相違するため、両者間の接合部は不連続な曲面になることが許容される。
【００２６】
本発明において、電球およびリフレクタが一体化されているとは、リフレクタと電球とが、それらの光学的関係を規制するために、口金セメントのような部材を介在させて固着されているか、リフレクタに対して電球を着脱可能にしたものをいう。このような構成を採用すると、電球の断線時にリフレクタをそのままにして電球のみを交換することができる。
【００２７】
そうして、本発明においては、リフレクタの上半部反射面に入射した電球の光は、中心軸にほぼ平行に反射される。
【００２８】
これに対して、下半部反射面に入射した電球からの光は、中心軸を横切って斜め上方へ反射される。
【００２９】
したがって、標識灯用ランプが埋込型標識灯に組み込まれた状態において、上半部反射面からの反射光は、プリズムの入光面にほぼ直角に入光する。下半部反射面からの反射光は、プリズムの入光面に対して斜め下方から入光する。それぞれプリズムに入光した光は、入射角に応じて屈折され、プリズムから出光して細長い光ビーム（光柱）を形成し、埋込型標識灯の前方へ低い角度で投射する。そして、上半部反射面からの反射光は、リフレクタの中心軸の主として下半部を受け持つ。これに対して、下半部反射面からの反射光は、リフレクタの中心軸の主として上半部を受け持つ。その結果、所要の配光特性が効果的に形成される。
【００３０】
また、リフレクタを上半部反射面および下半部反射面に分離するとともに、下半部反射面からの反射光が中心軸を横切るようにするためには、下半部反射面の軸を中心軸に対して上方へ傾斜させるため、リフレクタの下半部の突出量を少なくできる。このことは、標識灯用ランプの特に下側のサイズの小形化を実現する。
【００３１】
したがって、標識灯用ランプのリフレクタが邪魔しないか、邪魔する程度が少なくなるため、その分埋込型標識灯の灯体を薄形にすることができる。
【００３２】
また、本発明において、標識灯用ランプは、リフレクタが、上半部反射面および下半部反射面の少なくとも開口端側の上下の部分が中心軸とほぼ平行にカットされている。
【００３３】
埋込形標識灯に用いられているプリズムは、配光特性に合わせて開口面が横長に形成されている。このような標識灯に用いるランプの開口端のサイズをプリズムの横幅に合わせると、ランプの開口端の上下の部分はプリズムから外側へ食み出てしまい、埋込形標識灯の器具効率が低下する。これに対して、標識灯用ランプのリフレクタの開口端のサイズを標識灯のプリズムの上下方向の寸法に合わせると、プリズムの左右方向の光量が不足して、所要の配光特性を得ることが困難になる。
【００３４】
そこで、本発明においては、上記のようにランプの開口端の上下の部分を中心軸とほぼ平行にカットしたため、標識灯用ランプの上下方向の寸法すなわち高さを小さくでき、これにより埋込形標識灯を一層薄くできる。これと同時に、標識灯用ランプの横方向の開口径をプリズムの横方向のサイズに合わせることができるため、左右方向の光量を所要に確保することができる。また、上下方向の光量は、前記上半部反射面および下半部反射面の構成により、所要に確保できるので、全体として、最少消費電力の標識灯用ランプで所要の配光特性を得ることができる。
【００３５】
リフレクタの開口端側の上下をカットするに当たって、上半部反射面および下半部反射面の一部を予めカットしてから、反射膜を形成してもよいし、反射面の全体に反射膜を形成するなどしてリフレクタを作った後に、カットすべき部分を適宜の手段によって切除してもよい。また、上記予めカットするとは、基体の成形型をリフレクタの一部をカットした形にして、成形時から既にカットすべき部分を除去した構造を得ることを含む。
【００３６】
さらに、本発明において、標識灯用ランプは、前記リフレクタが、上半部反射面の開口端が頂部側へ後退している。
【００３７】
本発明においては、上記のように構成して上半部反射面を下半部反射面より頂部側へ後退させることにより、下半部反射面からの反射光が上半部反射面によって蹴られないようにすることができる。
【００３８】
上記の構成に伴い、下半部反射面の立体角を相対的に大きくして、下半部反射面からの反射光を多くすることで、所要の配光特性を実現しやすくなる。
【００３９】
さらに、外観を考慮して、横方向から見て上半部反射面の開口端を斜めに後退させるとともに、これに連続して下半部反射面の開口端をも斜めに形成することができる。
【００４０】
そうして、本発明においては、標識灯用ランプのリフレクタを上半部反射面および下半部反射面に分離して下半部反射面の反射光が中心軸を横切るように構成したことにより、標識用ランプを埋込型標識灯に組み込んだときに、リフレクタの下端部の突出量を少なくでき、このため灯体を薄形にすることができる。
【００４１】
また、薄形化により埋込のための路面のボーリング作業が容易となる。また、標識灯の軽量化も可能となり、それに伴い取扱いが容易になる。
【００４２】
本発明の第１の態様において、標識灯用ランプは、リフレクタが、上半部反射面および下半部反射面がそれぞれ自由曲面を備えた複数のファセットにより構成されている。
【００４３】
本態様は、上記のように各反射面を複数のファセットによって構成しているため、所望の配光特性を複数に分割して、各ファセットごとに分割された配光特性の部分を割り付けると、それに応じて各ファセットの自由曲面を設計することができる。このため、所望の配光特性を容易に実現することができる。
【００４４】
本発明の第２の態様において、標識灯用ランプは、リフレクタが、上半部反射面および下半部反射面の少なくとも開口端側の上下の部分が中心軸とほぼ平行にカットされている。
【００４５】
埋込形標識灯に用いられているプリズムは、配光特性に合わせて開口面が横長に形成されている。このような標識灯に用いるランプの開口端のサイズをプリズムの横幅に合わせると、ランプの開口端の上下の部分はプリズムから外側へ食み出てしまい、埋込形標識灯の器具効率が低下する。これに対して、標識灯用ランプのリフレクタの開口端のサイズを標識灯のプリズムの上下方向の寸法に合わせると、プリズムの左右方向の光量が不足して、所要の配光特性を得ることが困難になる。
【００４６】
そこで、本態様においては、上記のようにランプの開口端の上下の部分を中心軸とほぼ平行にカットしたため、標識灯用ランプの上下方向の寸法すなわち高さを小さくでき、これにより埋込形標識灯を一層薄くできる。これと同時に、標識灯用ランプの横方向の開口径をプリズムの横方向のサイズに合わせることができるため、左右方向の光量を所要に確保することができる。また、上下方向の光量は、前記上半部反射面および下半部反射面の構成により、所要に確保できるので、全体として、最少消費電力の標識灯用ランプで所要の配光特性を得ることができる。
【００４７】
リフレクタの開口端側の上下をカットするに当たって、上半部反射面および下半部反射面の一部を予めカットしてから、反射膜を形成してもよいし、反射面の全体に反射膜を形成するなどしてリフレクタを作った後に、カットすべき部分を適宜の手段によって切除してもよい。また、上記予めカットするとは、基体の成形型をリフレクタの一部をカットした形にして、成形時から既にカットすべき部分を除去した構造を得ることを含む。
【００４８】
本発明の第３の態様において、標識灯用ランプは、前記リフレクタが、隣接する互いに異なる曲面部分の間に形成され頂部側から開口端側へ延在する接合部を備えており；電球は、フィラメントの両端から延在した一対のレグ部を備えるとともに、レグ部がリフレクタの接合部に対向して位置するようにリフレクタに配設されている。
【００４９】
本態様において、「隣接する互いに異なる曲面部分の間に形成された接合部」とは、隣接する一対のファセットの間や上半部反射面および下半部反射面の間の部分をいい、この接合部を挟んで異なる曲面が隣接しているために、接合部においては曲面が不連続になっている。
【００５０】
また、「頂部側から開口端側へ延在する」とは、リフレクタを開口端側から見たときに頂部を中心として放射状に接合部が形成されていることを意味する。
【００５１】
さらに、接合部は、線状をなして殆ど幅を有さないだけでなく、必要に応じて適当な幅を付与することができる。接合部に幅を持たせることにより、レグ部のリフレクタに対する取付角度が多少ばらついても差し支えないので、組立や調整が容易になる。ただし、このように適当な幅を有する場合には、接合部を光拡散性にするか、遮光性にして、接合部に入射した光が配光に影響するのを最小限に止めるのが好ましい。また、幅は必要最小限に止めることが望ましい。光拡散性または遮光性にするには、既知の手段を用いればよい。
【００５２】
次に、電球のフィラメントは、バルブの軸に沿って延在するＣ−８タイプが好適であるが、本発明はこれに限定されるものではなく、Ｃ−６タイプを始めその他のタイプにおいても後述する効果が本質的には生じ得る。
【００５３】
ところで、リフレクタの反射面にフィラメントのレグ部の影が映り込むようなことがあると、本来フィラメントからの発光が反射面に入射し、所望の反射をして配光に寄与すべきところ、当該発光の一部がレグ部によって蹴られて反射面に入射できないことになり、これに伴い有効光量が損失する。また、配光が乱れる原因にもなりやすい。
【００５４】
これに対して、本態様においては、レグ部の影は主として対向している接合部に入射する。接合部は、元々所望の反射に寄与できないので、有効光量の損失は殆ど生じない。また、配光が乱れるようなことはない。
【００５５】
本発明の埋込型標識灯装置は、本発明の埋込型標識灯と；埋込型標識灯の周辺部を支持する段部および埋込型標識灯を収納する凹部を備え、路面に埋設される基台と；埋込型標識灯を基台に着脱自在に固定する固定手段と；を具備していることを特徴としている。
【００５６】
路面をボーリングして予め基台を埋設しておく。電気配線は基台を介して地中から立ち上げておく。埋込型標識灯を基台に収納して基台に固定手段たとえばボルトにより固定する。
【００５７】
そうして、本発明は基台を介して埋込型標識灯を埋設するので、ランプの交換などメンテナンスは、標識灯全体または一部たとえば上部灯体を現場から取り外して新たに用意した標識灯の全部または一部に交換し、取り外した標識灯は現場から工場に持ち帰って必要な処置をすることによって、行うことができる。
【００５８】
【発明の実施の形態】
以下、本発明の実施の形態を図面を参照して説明する。
【００５９】
図１は、本発明の埋込型標識灯装置の一実施形態を示す平面図である。
【００６０】
図２は、図１のII−II'線に沿う断面図である。
【００６１】
図において、埋込型標識灯装置は、埋込型標識灯Ａおよび基台Ｂからなる。
【００６２】
埋込型標識灯Ａについて１は灯体、２はプリズム、３は標識灯用ランプ、４は色フィルタである。
【００６３】
灯体１は、上部灯体１ａおよび上部灯体１ａの下面にＯリング５を介して液密に覆合する下部灯体１ｂからなり、両者の間に内部空間１ｃが形成されている。上部灯体１ａの上面には斜め上方に向かう一対の光導出溝１ｄを互いに反対方向に向けて、かつ互いにずらして形成している。そして、上部灯体１ａの上面中心領域は平坦部１ｅで、その周囲は傾斜面１ｆになっている。光導出溝１ｄは上面の平坦部１ｅおよび傾斜面１ｆに跨って開口している。１ｇは取付孔で、周辺部に形成された上部灯体１ａを下部灯体１ｂおよび基台Ｂに取り付けるためのものである。
【００６４】
プリズム２は、光導出溝１ｄと内部空間１ｃとの接続部位に配設されている。
【００６５】
標識灯用ランプ３は、その詳細は後述するが、リフレクタ３ａとリフレクタ３ａの内部に収納された電球３ｂとからなり、図示しない常法により灯体上部１ａに装着されて内部空間１ｃに各プリズム２、２に対向して、一対が配設されている。
【００６６】
色フィルタ４は、プリズム２の入光部の前に配設されている。埋込型標識灯の設置場所ごとに投射する色光が定められている。
【００６７】
次に、標識灯用ランプについて図３ないし図７を参照して説明する。
【００６８】
図３は、本発明の標識灯用ランプの第１の実施形態を示す側面図である。
【００６９】
図４は、同じく中心軸を含む面に沿った縦断面図である。
【００７０】
図５は、同じくリフレクタを示す正面図である。
【００７１】
図６は、同じく中心軸を含む面に沿った縦断面図である。
【００７２】
図７は、同じく横断面図である。
【００７３】
各図において、図２と同一部分については同一符号を付して説明は省略する。
【００７４】
標識灯用ランプ３のリフレクタ３ａは、その中心軸Ｘ−Ｘ’を境とする上半部反射面３ａ１および下半部反射面３ａ２から構成されている。
【００７５】
そして、上半部反射面３ａ１は、複数のファセット３ａ５からなる。各ファセット３５は、回転放物面に近似した自由曲面からなるが、その自由曲面は電球３ｂから放射され、上半部反射面３ａ１に入射した光が中心軸Ｘ−Ｘ’とほぼ平行な方向へ反射されるように設定されている。
【００７６】
これに対して、下半部反射面３ａ２は、同様に複数のファセット３ａ５からなる。各ファセット３ａ５は、同様に回転放物面に近似した自由曲面からなるが、その自由曲面は電球３ｂから放射され、下半部反射面３ａ２に入射した光が中心軸Ｘ−Ｘ’に対して傾斜して交叉する方向へ反射されるように設定されている。
【００７７】
さらに、リフレクタ３ａは、その開口端側の上部および下部がカットされてカット部３ａ３、３ａ４を形成しているために、正面から見ると、上下が平行な横長の形状をなしている。
【００７８】
さらにまた、リフレクタ３ａを横方向から見ると、その開口端が斜めになっているが、これは上半部反射面３ａ１の開口端を下半部反射面３ａ２の開口端より頂部側へ後退させるからであり、さらに下半部反射面の開口端をそれに合わせて斜めに後退させているからである。
【００７９】
一方、電球３ｂは、石英ガラスからなる円筒状のバルブ３ｂ１と、バルブ３ｂ１の内部に封装されたフィラメント３ｂ２とを備えている。そして、電球３ｂは、フィラメント３ｂ２がリフレクタ３ａの所定の位置たとえばフィラメント３ｂ２の中心部が回転放物面のほぼ焦点に位置するように配設される。
【００８０】
さらに詳述すると、バルブ３ｂ１は、基端をピンチシールし、先端をチップオフした構造である。ピンチシール部３ｂ１１には一対の金属箔３ｂ３を互いに離間して埋設し、金属箔３ｂ３からバルブ３ｂ１内へは一対のレグ部３ｂ４、３ｂ４’が延在している。また、金属箔３ｂ３からバルブ３ｂ１外へは一対の口金ピン３ｂ５が突出している。
【００８１】
前記レグ部３ｂ４、３ｂ４’はフィラメント３ｂ２の両端から延在していてフィラメント３ｂ２に通電するとともに、フィラメント３ｂ２を機械的に支持している。
フィラメント３ｂ２は、Ｃ−８タイプすなわちバルブ３ｂ１の軸に軸をほぼ一致させて配置したコイルを形成している。コイルは２重コイルか１重コイルが多くの場合に用いられる。
したがって、フィラメント３ｂ２のバルブ３ｂ１の先端側のレグ部３ｂ４はフィラメント３ｂ２にほぼ平行に延在しているが、本実施形態においては、このレグ部３ｂ４をリフレクタ３ａの回転放物面の上部を除去した部分３ａ３に対向させている。しかし、要すれば、レグ部３ｂ４を上半部反射面３ａ１および下半部反射面３ａ２の接合部に対向させて配置してもよい。
【００８２】
電球３ｂは、バルブ３ｂ１の内部にはヨウ素、臭素などのハロゲンを適量封入してなるハロゲン電球にて構成されている。
【００８３】
口金セメント３ｃは、リフレクタ３ａのネック部３ａ６内において電球３ｂの基端に形成したピンチシール部３ｂ１１をネック部３ａ２に固着することによって電球３ｂを片持ち支持にてリフレクタ３ａの所定の位置に固定している。
【００８４】
図８は、本発明の標識灯用ランプの第２の実施形態を示す正面図である。
【００８５】
図において、図３ないし図７と同一部分については同一符号を付して説明は省略する。
【００８６】
本実施形態は、フィラメント３ｂ２のレグ部３ｂ４、３ｂ４’が上半部反射面３ａ１および下半部反射面３ａ２に映り込まないように構成した点で異なる。
【００８７】
本実施形態においては、レグ部３ｂ４、３ｂ４’をファセット３ａ５の接合部に対向するように構成している。
【００８８】
さらに、詳述すると、以下のとおりである。上半部反射面３ａ１および下半部反射面３ａ２に、それぞれ中央に縦方向に延在する接合部３ａ６を配設することにより、左右に分割された一対のファセット３ａ５を形成している。また、上半部反射面３ａ１と下半部反射面３ａ２との間にも横方向に延在する接合部３ａ７が形成される。
【００８９】
そうして、図示の場合、レグ部３ｂ４、３ｂ４’は、接合部３ａ６に対向しているので、レグ部３ｂ４、３ｂ４’の影は主として接合部３ａ６に入射し、反射面を構成する曲面部分には実質的には入射しない。しかし、レグ部３ｂ４、３ｂ４’を接合部３ａ７に対向させてもよい。
【００９０】
このように、レグ部３ｂ４、３ｂ４’を接合部３ａ６および３ａ７のいずれに正対させてもよいので、組立の自由度が大きくなる。
【００９１】
図９は、本発明の標識灯用ランプの第３の実施形態を示す正面図である。
【００９２】
図において、図８と同一部分には同一符号を付して説明は省略する。
【００９３】
本実施形態は、図８に比較して上半部反射面３ａ１および下半部反射面３ａ２に斜め方向に延在する接合部３ａ９をさらに追加して配設し、ファセット３ａ５の数を倍にしたものである。なお、レグ部３ｂ４、３ｂ４’は、接合部３ａ９に対向させてもよい。
【００９４】
図１０は、本発明の標識灯用ランプの第４の実施形態を示す正面図である。
【００９５】
図において、図８と同一部分には同一符号を付して説明は省略する。
【００９６】
本実施形態は、レグ部３ｂ４、３ｂ４’を正対させる接合部３ａ６’に若干の幅を付与した点で異なる。
【００９７】
すなわち、接合部３ａ６’は、隣接するファセット３ａ５の間にあって拡散反射面または遮光面を形成している。フィラメント３ｂ２のレグ部３ｂ４、３ｂ４’は接合部３ａ６’のどこかの部分に対向していれば、レグ部３ｂ４、３ｂ４’の影の映り込みに伴う問題は生じない。
【００９８】
ただし、接合部３ａ６’の幅が大きくなるにしたがってリフレクタ３ｂの効率が低下するので、なるべく狭い方がよい。
【００９９】
図１１は、本発明の埋込型標識灯の一実施形態における光学作用を示す図１のII-II'線に沿う断面図である。
【０１００】
図において、図１と同一部分については同一符号を付して説明は省略する。
【０１０１】
電球３ｂから上半部反射面３ａ１に向けて放射された光線Ｒ１は、リフレクタ３ａの中心軸Ｘ−Ｘ’にほぼ平行に反射され、色フィルタ４およびプリズム２に直角に入光する。この光線Ｒ１は、プリズム２で屈折されてほぼ水平方向へ投射される。
【０１０２】
一方、電球３ｂから下半部反射面３ａ２に向けて放射された光線Ｒ２は、リフレクタ３ａの中心軸Ｘ−Ｘ’を横切って上方へ反射され、色フィルタ４およびプリズム２に対していくらか斜めに入光する。この光線Ｒ２は、プリズム２で屈折されて水平線に対して若干上向きに投射される。
【０１０３】
以上のように、電球３ｂから放射された光は、上半部反射面３ａ１と下半部反射面３ａ２とでの反射により２分され、それぞれプリズム２を経由して角度的にはわずかであるが、異なる方向に投射されることにより、所要の配光特性を満足する。
【０１０４】
図１２は、埋込型標識灯における配光特性の規格の一例を示す配光特性図である。
【０１０５】
図において、横軸は水平角（度）を、縦軸は鉛直角（度）を、それぞれ示す。
【０１０６】
曲線ｍは主光柱曲線を、曲線ｓは１０％光柱曲線を、それぞれ示す。
【０１０７】
本規格は、主光柱曲線ｍによって包囲された角度範囲（水平角±１０゜、鉛直角１〜８゜）内の最低平均光度が２００Ｃｄ、最低光度が１００Ｃｄであることを要求している。また、１０％光柱曲線ｓによって包囲された角度範囲（水平角±１６゜、鉛直角０〜１３゜）内の最低光度が２０Ｃｄであることを要求している。
【０１０８】
本発明の埋込型標識灯によれば、図１２に示す配光特性の規格の一例を容易に満足することができる。
【０１０９】
基台Ｂについて再び図２に戻って説明する。１１は内周段部、１２は起立壁、１３は中央凹部、１４は取付孔である。なお、図示しないが、基台Ｂの側面には電源ケーブル導入孔が形成されている。
【０１１０】
内周段部１１は、埋込型標識灯Ａをその灯体１の底面から若干浮かして取り付けるために灯体１の周辺部を支承するものである。
【０１１１】
起立壁１２は、埋込型標識灯Ａの側面を包囲して保護する。そして、基台ｂは起立壁１２の上端まで路面Ｇに埋設される。
【０１１２】
中央凹部１３は、灯体１をその中央部をＯリング１５を介して液密に収納するとともに、標識灯Ａに対する必要な図示しない電気配線を行うために用いられる。
【０１１３】
図１３は、本発明の埋込型標識灯の一実施形態における下部灯体の平面図である。
【０１１４】
下部灯体１ｂは、図２を参照して明かなように外周にフランジ部１ｂ１を備えた皿状をなしていて、フランジ部１ｂ１に形成した透孔１ｂ２は下部灯体１ｂを上部灯体１ａに取り付けるためのものである。また、透孔１ｂ３は上部灯体１ａを下部灯体および基台Ｂに取り付けるためのものである。
【０１１５】
そうして、下部灯体１ｂと基台Ｂとの間は、Ｏリング１６によって液密にさられる。
【０１１６】
図１４は、本発明の埋込型標識灯装置の一実施形態における基台の平面図である。
【０１１７】
図において、１７は下部灯体１ｂを取り付けるための取付孔である。その他の部分については、図２において説明済みのため説明は省略する。
【０１１８】
【発明の効果】
本発明によれば、標識灯用ランプの電球とリフレクタが一体化され、電球のフィラメントから放射された光が上半部反射面に入射すると、中心軸と交叉しない方向へ反射し、また下半部反射面に入射した電球からの光は中心軸と交叉する方向へ反射するようにして、リフレクタの下半部の突出量を少なくし、標識灯用ランプの殆どが路面より下側に位置することで、灯体の路面上への突出高さが小さくなり、しかも下半部反射面からの反射光が上半部反射面によって蹴られないようになるとともに所要の配光特性を得やすなり、灯体を一層薄形にした埋込型標識灯を提供することができる。
【０１１９】
加えてリフレクタの上半部反射面および下半部反射面をそれぞれ自由曲面を備えた複数のファセットによって構成すれば、所望の配光特性を有する埋込型標識灯を提供することができる。
【０１２０】
加えてリフレクタの開口端側の上下の部分をカットすれば、上下方向の高さを小さくできるとともに、横方向のサイズをプリズムの横方向のサイズに合わせることにより、器具効率を向上させて最少消費電力の電球を用いて、埋込形標識灯の所要の配光特性を満足させる埋込型標識灯を提供することができる。
【０１２１】
加えて隣接する互いに異なる曲面部分の間において頂部側から開口端側へ延在する接合部に電球のフィラメントのレグ部を対向させれば、レグ部の影が反射面の曲面に入射しないので、有効光量の損失が少ない埋込型標識灯を提供することができる。
【０１２２】
本発明によれば、その基台を予め路面に埋設しておくことできるとともに、本発明の埋込型標識灯の効果を有する埋込型標識灯装置を提供することができる。
【図面の簡単な説明】
【図１】  本発明の埋込型標識灯装置の一実施形態を示す平面図
【図２】  同じく図１のII−II'線に沿う断面で示す断面図
【図３】  本発明の標識灯用ランプの第１の実施形態を示す側面図
【図４】  同じく中心軸を含む面に沿った縦断面図
【図５】  同じくリフレクタを示す正面図
【図６】  同じく中心軸を含む面に沿った縦断面図
【図７】  同じく横断面図
【図８】  本発明の標識灯用ランプの第２の実施形態を示す正面図
【図９】  本発明の標識灯用ランプの第３の実施形態を示す正面図
【図１０】  本発明の標識灯用ランプの第４の実施形態を示す正面図
【図１１】  本発明の埋込型標識灯の一実施形態における光学作用を示す図１のII−II'線に沿う断面図
【図１２】  埋込型標識灯における配光特性の規格を示す配光特性図
【図１３】  本発明の埋込型標識灯の一実施形態における下部灯体の平面図
【図１４】  本発明の埋込型標識灯装置の一実施形態における基台の平面図
【図１５】  先行発明の埋込型標識灯の光軸部分における断面図図
【図１６】  同じく標識灯用ランプの断面図
【符号の説明】
Ａ…埋込型標識灯
Ｂ…基台
Ｇ…路面
Ｒ１…光線
Ｒ２…光線
１…灯体
１ａ…上部灯体
１ｂ…下部灯体
１ｂ１…フランジ部
１ｃ…内部空間
１ｄ…光導出溝
１ｅ…平坦部
１ｆ…傾斜面
１ｇ…取付孔
２…プリズム
３…標識灯用ランプ
３ａ…リフレクタ
３ａ１…上半部反射面
３ａ２…下半部反射面
３ａ５…ファセット
３ｂ…電球
４…色フィルタ
５…Ｏリング
１１…内周段部
１２…起立壁
１３…中央凹部
１４…取付孔
１５…Ｏリング
１６…Ｏリング
【図１】
0003931414.tif 000002
【図２】
0003931414.tif 000003
【図３】
0003931414.tif 000004
【図４】
0003931414.tif 000005
【図５】
0003931414.tif 000006
【図６】
0003931414.tif 000007
【図７】
0003931414.tif 000008
【図８】
0003931414.tif 000009
【図９】
0003931414.tif 000010
【図１０】
0003931414.tif 000011
【図１１】
0003931414.tif 000012
【図１２】
0003931414.tif 000013
【図１３】
0003931414.tif 000014
【図１４】
0003931414.tif 000015
【図１５】
0003931414.tif 000016
【図１６】
0003931414.tif 000017